【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  第１のコンテンツデータを変換して、第２のコンテンツデータを創造する第１の情報処理装置と、
前記第１の情報処理装置と通信を行う第２の情報処理装置と
で構成される情報処理システムにおいて、
前記第１の情報処理装置は、
前記第２のコンテンツデータの創造における演算に用いられる係数を創造するのに必要な付加情報を生成する付加情報生成手段と、
前記付加情報生成手段により生成された前記付加情報を前記第２の情報処理装置に供給する付加情報供給手段と、
前記第２の情報処理装置より前記係数を取得する係数取得手段と、
前記係数取得手段により取得された前記係数を用いて演算を行い、前記第１のコンテンツデータを変換して、前記第２のコンテンツデータを創造するコンテンツデータ創造手段と
を備え、
前記第２の情報処理装置は、
前記第１の情報処理装置より前記付加情報を取得する付加情報取得手段と、
前記付加情報取得手段により取得された前記付加情報を用いて、前記係数を創造する係数創造手段と、
前記係数創造手段により創造された前記係数を前記第１の情報処理装置に供給する係数供給手段と
を備えることを特徴とする情報処理システム。
【請求項２】  第１のコンテンツデータを変換して、第２のコンテンツデータを創造する情報処理装置であって、
前記第２のコンテンツデータの創造における演算に用いられる係数を創造するのに必要な付加情報を生成する付加情報生成手段と、
前記付加情報生成手段により生成された前記付加情報を他の情報処理装置に供給する付加情報供給手段と、
前記付加情報供給手段により供給された前記付加情報に基づいて、前記他の情報処理装置により生成された前記係数を取得する係数取得手段と、
前記係数取得手段により取得された前記係数を用いて演算を行い、前記第１のコンテンツデータを変換して、前記第２のコンテンツデータを創造するコンテンツデータ創造手段と
を備えることを特徴とする情報処理装置。
【請求項３】  前記コンテンツデータ創造手段により創造された前記第２のコンテンツデータの表示を制御する表示制御手段をさらに備える
ことを特徴とする請求項２に記載の情報処理装置。
【請求項４】  前記他の情報処理装置より制御情報を取得する制御情報取得手段をさらに備え、
前記付加情報生成手段は、前記制御情報取得手段により取得された前記制御情報に基づいて、前記付加情報を生成する
ことを特徴とする請求項２に記載の情報処理装置。
【請求項５】  複数の前記他の情報処理装置の優先順位に関する情報である優先順位テーブルを記憶するテーブル記憶手段と、
前記コンテンツデータ創造手段による演算に用いる前記係数を決定する係数決定手段と
をさらに備え、
前記係数取得手段は、前記他の情報処理装置より前記係数とともに、前記他の情報処理を識別するID情報を取得し、
前記係数決定手段は、前記係数取得手段により取得された前記ID情報、および前記テーブル記憶手段により記憶されている前記優先順位テーブルに基づいて、前記コンテンツデータ創造手段による演算に用いる前記係数を決定し、
前記コンテンツデータ創造手段は、前記係数決定手段により決定された前記係数を用いて演算を行い、前記第１のコンテンツデータを変換して、前記第２のコンテンツデータを創造する
ことを特徴とする請求項２に記載の情報処理装置。
【請求項６】  第１のコンテンツデータを変換して、第２のコンテンツデータを創造する情報処理装置の情報処理方法であって、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された前記係数を用いて演算を行い、前記第１のコンテンツデータを変換して、前記第２のコンテンツデータを創造するコンテンツデータ創造ステップと
を含むことを特徴とする情報処理方法。
【請求項７】  第１のコンテンツデータを変換して、第２のコンテンツデータを創造する処理を、コンピュータに行わせるプログラムであって、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された係数を用いて演算を行い、前記第１のコンテンツデータを変換して、前記第２のコンテンツデータを創造するコンテンツデータ創造ステップと
を含むことを特徴とするコンピュータが読み取り可能なプログラムが記録されていることを特徴とする記録媒体。
【請求項８】  第１のコンテンツデータを変換して、第２のコンテンツデータを創造する処理を、コンピュータに行わせるプログラムにおいて、
前記第２のコンテンツデータの創造における演算に用いられる係数を創造するのに必要な付加情報を生成する付加情報生成ステップと、
前記付加情報生成ステップの処理により生成された前記付加情報を他の情報処理装置に供給する付加情報供給ステップと、
前記付加情報供給ステップの処理により供給された前記付加情報に基づいて、前記他の情報処理装置により生成された前記係数を取得する係数取得ステップと、
前記係数取得ステップの処理により取得された前記係数を用いて演算を行い、前記第１のコンテンツデータを変換して、前記第２のコンテンツデータを創造するコンテンツデータ創造ステップと
を含む処理をコンピュータに実行させることを特徴とするプログラム。
【請求項９】  第１のコンテンツデータを変換して、第２のコンテンツデータを創造する他の情報処理装置と通信を行う情報処理装置であって、
前記他の情報処理装置より、前記第２のコンテンツデータの創造における演算に用いられる係数を創造するのに必要な付加情報を取得する付加情報取得手段と、
前記付加情報取得手段により取得された前記付加情報を用いて、前記係数を創造する係数創造手段と、
前記係数創造手段により創造された前記係数を前記他の情報処理装置に供給する係数供給手段と
を備えることを特徴とする情報処理装置。
【請求項１０】  ユーザの入力を受け付ける入力受け付け手段をさらに備える
ことを特徴とする請求項９に記載の情報処理装置。
【請求項１１】  前記入力受け付け手段により受け付けられた前記ユーザの入力に基づいて、前記付加情報の生成を指示する制御情報を前記他の情報処理装置に供給する制御情報供給手段をさらに備える
ことを特徴とする請求項１０に記載の情報処理装置。
【請求項１２】  複数の前記係数を用いて、前記係数供給手段により供給する前記係数を算出する係数算出手段をさらに備え、
前記係数創造手段は、複数種類の前記付加情報を用いて、互いに異なる前記付加情報に対応する複数の前記係数を創造し、
前記係数算出手段は、前記係数創造手段により創造された複数の前記係数を用いて、前記係数供給手段により供給する前記係数を算出し、
前記係数供給手段は、前記係数算出手段により算出された前記係数を前記他の情報処理装置に供給する
ことを特徴とする請求項９に記載の情報処理装置。
【請求項１３】  前記他の情報処理装置より前記第１のコンテンツデータを取得するコンテンツデータ取得手段と、
前記係数創造手段により創造された前記係数を用いて演算を行い、前記コンテンツデータ取得手段により取得された前記第１のコンテンツデータを変換して、前記第２のコンテンツデータを創造するコンテンツデータ創造手段と
を備えることを特徴とする請求項９に記載の情報処理装置。
【請求項１４】  前記コンテンツデータ創造手段により創造された前記第２のコンテンツデータの表示を制御する表示制御手段をさらに備える
ことを特徴とする請求項１３に記載の情報処理装置。
【請求項１５】  前記コンテンツデータ創造手段により創造された前記第２のコンテンツデータを前記他の情報処理装置に供給するコンテンツデータ供給手段をさらに備える
ことを特徴とする請求項１３に記載の情報処理装置。
【請求項１６】  前記情報処理装置を識別するID情報を記憶するID情報記憶手段をさらに備え、
前記係数供給手段は、前記係数創造手段により創造された前記係数とともに、前記ID情報記憶手段により記憶されている前記ID情報を前記他の情報処理装置に供給する
ことを特徴とする請求項９に記載の情報処理装置。
【請求項１７】  第１のコンテンツデータを変換して、第２のコンテンツデータを創造する他の情報処理装置と通信を行う情報処理装置の情報処理方法であって、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含むことを特徴とする情報処理方法。
【請求項１８】  第１のコンテンツデータを変換して、第２のコンテンツデータを創造する他の情報処理装置と通信を行う処理を、コンピュータに行わせるプログラムであって、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含むことを特徴とするコンピュータが読み取り可能なプログラムが記録されていることを特徴とする記録媒体。
【請求項１９】  第１のコンテンツデータを変換して、第２のコンテンツデータを創造する他の情報処理装置と通信を行う処理を、コンピュータに行わせるプログラムにおいて、
前記他の情報処理装置より、前記第２のコンテンツデータの創造における演算に用いられる係数を創造するのに必要な付加情報を取得する付加情報取得ステップと、
前記付加情報取得ステップの処理により取得された前記付加情報を用いて、前記係数を創造する係数創造ステップと、
前記係数創造ステップの処理により創造された前記係数を前記他の情報処理装置に供給する係数供給ステップと
を含む処理をコンピュータに実行させることを特徴とするプログラム。
【請求項２０】  第１のコンテンツデータを変換して得られる第２のコンテンツデータの画像を表示する第１の情報処理装置と、
前記第１の情報処理装置と通信を行う第２の情報処理装置と
で構成される情報処理システムにおいて、
前記第１の情報処理装置は、
前記第２のコンテンツデータの創造する演算に用いられる係数を創造する付加情報を生成する付加情報生成手段と、
前記付加情報生成手段により生成された前記付加情報を前記第２の情報処理装置に供給する付加情報供給手段と、
前記第２の情報処理装置に前記第１のコンテンツデータを供給する第１のコンテンツデータ供給手段と、
前記第２の情報処理装置より前記第２のコンテンツデータを取得する第１のコンテンツデータ取得手段と、
前記第１のコンテンツデータ取得手段により取得された前記第２のコンテンツデータの画像を表示する画像表示手段と
を備え、
前記第２の情報処理装置は、
前記第１の情報処理装置より前記付加情報を取得する付加情報取得手段と、
前記付加情報取得手段により取得された前記付加情報を用いて、前記係数を創造する係数創造手段と、
前記第１の情報処理装置より前記第１のコンテンツデータを取得する第２のコンテンツデータ取得手段と、
前記係数創造手段により創造された前記係数を用いて演算を行い、前記第２のコンテンツデータ取得手段により取得された前記第１のコンテンツデータを変換して、前記第２のコンテンツデータを創造するコンテンツデータ創造手段と、
前記コンテンツデータ創造手段により創造された前記第２のコンテンツデータを前記第１の情報処理装置に供給する第２のコンテンツデータ供給手段と
を備えることを特徴とする情報処理システム。
【請求項２１】  第１のコンテンツデータを変換して得られる第２のコンテンツデータの画像を表示する第１の情報処理装置と、
前記第１の情報処理装置と通信を行う第２の情報処理装置と
で構成される情報処理システムの情報処理方法であって、
前記第１の情報処理装置は、
前記第２のコンテンツデータの創造する演算に用いられる係数を創造する付加情報を生成する付加情報生成ステップと、
前記付加情報生成ステップの処理により生成された前記付加情報を前記第２の情報処理装置に供給する付加情報供給ステップと、
前記第２の情報処理装置に前記第１のコンテンツデータを供給する第１のコンテンツデータ供給ステップと、
前記第２の情報処理装置より前記第２のコンテンツデータを取得する第１のコンテンツデータ取得ステップと、
前記第１のコンテンツデータ取得ステップの処理により取得された前記第２のコンテンツデータの画像を表示する画像表示ステップと
を含み、
前記第２の情報処理装置は、
前記第１の情報処理装置より前記付加情報を取得する付加情報取得ステップと、
前記付加情報取得ステップの処理により取得された前記付加情報を用いて、前記係数を創造する係数創造ステップと、
前記第１の情報処理装置より前記第１のコンテンツデータを取得する第２のコンテンツデータ取得ステップと、
前記係数創造ステップの処理により創造された前記係数を用いて演算を行い、前記第２のコンテンツデータ取得ステップの処理により取得された前記第１のコンテンツデータを変換して、前記第２のコンテンツデータを創造するコンテンツデータ創造ステップと、
前記コンテンツデータ創造ステップの処理により創造された前記第２のコンテンツデータを前記第１の情報処理装置に供給する第２のコンテンツデータ供給ステップと
を含むことを特徴とする情報処理方法。
【請求項２２】  第１のコンテンツデータを変換して、第２のコンテンツデータを創造する第１の情報処理装置と、
第３のコンテンツデータを変換して、第４のコンテンツデータを創造する、前記第１の情報処理装置と異なる第２の情報処理装置と、
前記第１の情報処理装置および前記第２の情報処理装置と通信を行う第３の情報処理装置と
で構成される情報処理システムにおいて、
前記第１の情報処理装置は、
前記第２のコンテンツデータの創造における演算に用いられる第１の係数を創造するのに必要な第１の付加情報を生成する第１の付加情報生成手段と、
前記第１の付加情報生成手段により生成された前記第１の付加情報を前記第３の情報処理装置に供給する第１の付加情報供給手段と、
前記第３の情報処理装置より前記第１の係数を取得する第１の係数取得手段と、
前記第１の係数取得手段により取得された前記第１の係数を用いて演算を行い、前記第１のコンテンツデータを変換して、前記第２のコンテンツデータを創造する第１のコンテンツデータ創造手段と
を備え、
前記第２の情報処理装置は、
前記第４のコンテンツデータの創造における演算に用いられる第２の係数を創造するのに必要な第２の付加情報を生成する第２の付加情報生成手段と、
前記第２の付加情報生成手段により生成された前記第２の付加情報を前記第３の情報処理装置に供給する第２の付加情報供給手段と、
前記第３の情報処理装置より前記第２の係数を取得する第２の係数取得手段と、
前記第２の係数取得手段により取得された前記第２の係数を用いて演算を行い、前記第３のコンテンツデータを変換して、前記第４のコンテンツデータを創造する第２のコンテンツデータ創造手段と
を備え、
前記第３の情報処理装置は、
前記第１の情報処理装置より供給された前記第１の付加情報、または、前記第２の情報処理装置より供給された前記第２の付加情報を取得する付加情報取得手段と、
前記付加情報取得手段により取得された前記第１の付加情報または前記第２の付加情報を用いて、前記第１の係数または前記第２の係数を創造する係数創造手段と、
前記係数創造手段により創造された前記第１の係数または前記第２の係数を、前記第１の情報処理装置または前記第２の情報処理装置にそれぞれ供給する係数供給手段と
を備えることを特徴とする情報処理システム。
【請求項２３】  第１のコンテンツデータを変換して、第２のコンテンツデータを創造する第１の情報処理装置と、
第３のコンテンツデータを変換して、第４のコンテンツデータを創造する、前記第１の情報処理装置と異なる第２の情報処理装置と、
前記第１の情報処理装置および前記第２の情報処理装置と通信を行う第３の情報処理装置と
で構成される情報処理システムの情報処理方法であって、
前記第１の情報処理装置は、
前記第２のコンテンツデータの創造における演算に用いられる第１の係数を創造するのに必要な第１の付加情報を生成する第１の付加情報生成ステップと、
前記第１の付加情報生成ステップの処理により生成された前記第１の付加情報を前記第３の情報処理装置に供給する第１の付加情報供給ステップと、
前記第３の情報処理装置より前記第１の係数を取得する第１の係数取得ステップと、
前記第１の係数取得ステップの処理により取得された前記第１の係数を用いて演算を行い、前記第１のコンテンツデータを変換して、前記第２のコンテンツデータを創造する第１のコンテンツデータ創造ステップと
を含み、
前記第２の情報処理装置は、
前記第４のコンテンツデータの創造における演算に用いられる第２の係数を創造するのに必要な第２の付加情報を生成する第２の付加情報生成ステップと、
前記第２の付加情報生成ステップの処理により生成された前記第２の付加情報を前記第３の情報処理装置に供給する第２の付加情報供給ステップと、
前記第３の情報処理装置より前記第２の係数を取得する第２の係数取得ステップと、
前記第２の係数取得ステップの処理により取得された前記第２の係数を用いて演算を行い、前記第３のコンテンツデータを変換して、前記第４のコンテンツデータを創造する第２のコンテンツデータ創造ステップと
を含み、
前記第３の情報処理装置は、
前記第１の情報処理装置より供給された前記第１の付加情報、または、前記第２の情報処理装置より供給された前記第２の付加情報を取得する付加情報取得ステップと、
前記付加情報取得ステップの処理により取得された前記第１の付加情報または前記第２の付加情報を用いて、前記第１の係数または前記第２の係数を創造する係数創造ステップと、
前記係数創造ステップの処理により創造された前記第１の係数または前記第２の係数を、前記第１の情報処理装置または前記第２の情報処理装置にそれぞれ供給する係数供給ステップと
を含むことを特徴とする情報処理方法。
【請求項２４】  第１のコンテンツデータを変換して、第２のコンテンツデータを創造する第１の情報処理装置と、
前記第１の情報処理装置と通信を行う第２の情報処理装置と
前記第１の情報処理装置と通信を行う、前記第２の情報処理装置と異なる第３の情報処理装置と
で構成される情報処理システムにおいて、
前記第１の情報処理装置は、
前記第２のコンテンツデータの創造における演算に用いられる係数を創造するのに必要な付加情報を生成する付加情報生成手段と、
前記付加情報生成手段により生成された前記付加情報を前記第２の情報処理装置または前記第３の情報処理装置に供給する付加情報供給手段と、
前記第２の情報処理装置または前記第３の情報処理装置より、ID情報とともに供給された前記係数を取得する係数取得手段と、
前記第２の情報処理装置および前記第３の情報処理装置の優先順位を管理する優先順位テーブルを記憶するテーブル記憶手段と、
前記係数取得手段により前記係数とともに取得された前記ID情報、並びに、前記テーブル記憶手段により記憶されている前記優先順位テーブルに基づいて、前記係数取得手段により取得された複数の前記係数の内、演算に用いる前記係数を決定する係数決定手段と、
前記係数決定手段により決定された前記係数を用いて演算を行い、前記第１のコンテンツデータを変換して、前記第２のコンテンツデータを創造するコンテンツデータ創造手段と
を備え、
前記第２の情報処理装置は、
前記第１の情報処理装置より前記付加情報を取得する第１の付加情報取得手段と、
前記第１の付加情報取得手段により取得された前記付加情報を用いて、前記係数を創造する第１の係数創造手段と、
前記第２の情報処理装置を識別する前記ID情報である第１のID情報を記憶する第１のID情報記憶手段と、
前記第１の係数創造手段により創造された前記係数を、前記第１のID情報記憶手段により記憶されている前記第１のID情報とともに、前記第１の情報処理装置に供給する第１の係数供給手段と
を備え、
前記第３の情報処理装置は、
前記第１の情報処理装置より前記付加情報を取得する第２の付加情報取得手段と、
前記第２の付加情報取得手段により取得された前記付加情報を用いて、前記係数を創造する第２の係数創造手段と、
前記第３の情報処理装置を識別する前記ID情報である第２のID情報を記憶する第２のID情報記憶手段と、
前記第２の係数創造手段により創造された前記係数を、前記第２のID情報記憶手段により記憶されている前記第２のID情報とともに、前記第１の情報処理装置に供給する第２の係数供給手段と
を備えることを特徴とする情報処理システム。
【請求項２５】  第１のコンテンツデータを変換して、第２のコンテンツデータを創造する第１の情報処理装置と、
前記第１の情報処理装置と通信を行う第２の情報処理装置と
前記第１の情報処理装置と通信を行う、前記第２の情報処理装置と異なる第３の情報処理装置と
で構成される情報処理システムの情報処理方法であって、
前記第１の情報処理装置は、
前記第２のコンテンツデータの創造における演算に用いられる係数を創造するのに必要な付加情報を生成する付加情報生成ステップと、
前記付加情報生成ステップの処理により生成された前記付加情報を前記第２の情報処理装置または前記第３の情報処理装置に供給する付加情報供給ステップと、
前記第２の情報処理装置または前記第３の情報処理装置より、ID情報とともに供給された前記係数を取得する係数取得ステップと、
前記第２の情報処理装置および前記第３の情報処理装置の優先順位を管理する優先順位テーブルの記憶を制御するテーブル記憶制御ステップと、
前記係数取得ステップの処理により前記係数とともに取得された前記ID情報、並びに、前記テーブル記憶制御ステップの処理により記憶が制御されている前記優先順位テーブルに基づいて、前記係数取得ステップの処理により取得された複数の前記係数の内、演算に用いる前記係数を決定する係数決定ステップと、
前記係数決定ステップの処理により決定された前記係数を用いて演算を行い、前記第１のコンテンツデータを変換して、前記第２のコンテンツデータを創造するコンテンツデータ創造ステップと
を含み、
前記第２の情報処理装置は、
前記第１の情報処理装置より前記付加情報を取得する第１の付加情報取得ステップと、
前記第１の付加情報取得ステップの処理により取得された前記付加情報を用いて、前記係数を創造する第１の係数創造ステップと、
前記第２の情報処理装置を識別する前記ID情報である第１のID情報の記憶を制御する第１のID情報記憶制御ステップと、
前記第１の係数創造ステップの処理により創造された前記係数を、前記第１のID情報記憶ステップの処理により記憶が制御されている前記第１のID情報とともに、前記第１の情報処理装置に供給する第１の係数供給ステップと
を含み、
前記第３の情報処理装置は、
前記第１の情報処理装置より前記付加情報を取得する第２の付加情報取得ステップと、
前記第２の付加情報取得ステップの処理により取得された前記付加情報を用いて、前記係数を創造する第２の係数創造ステップと、
前記第３の情報処理装置を識別する前記ID情報である第２のID情報の記憶を制御する第２のID情報記憶制御ステップと、
前記第２の係数創造ステップの処理により創造された前記係数を、前記第２のID情報記憶制御ステップの処理により記憶が制御されている前記第２のID情報とともに、前記第１の情報処理装置に供給する第２の係数供給ステップと
を含むことを特徴とする情報処理方法。
【請求項２６】  第１のコンテンツデータを変換して、第２のコンテンツデータを創造する第１の情報処理装置と、
第３のコンテンツデータを変換して、第４のコンテンツデータを創造する第２の情報処理装置と、
前記第１の情報処理装置または前記第２の情報処理装置と通信を行う第３の情報処理装置と
前記第１の情報処理装置または前記第２の情報処理装置と通信を行う、前記第３の情報処理装置と異なる第４の情報処理装置と
で構成される情報処理システムにおいて、
前記第１の情報処理装置は、
前記第２のコンテンツデータの創造における演算に用いられる第１の係数を創造するのに必要な第１の付加情報を生成する第１の付加情報生成手段と、
前記第１の付加情報生成手段により生成された前記第１の付加情報を前記第３の情報処理装置または前記第４の情報処理装置に供給する第１の付加情報供給手段と、
前記第３の情報処理装置または前記第４の情報処理装置より、ID情報とともに供給された前記第１の係数を取得する第１の係数取得手段と、
前記第３の情報処理装置および前記第４の情報処理装置の優先順位を管理する第１の優先順位テーブルを記憶する第１のテーブル記憶手段と、
前記第１の係数取得手段により前記係数とともに取得された前記ID情報、並びに、前記第１のテーブル記憶手段により記憶されている前記第１の優先順位テーブルに基づいて、前記第１の係数取得手段により取得された複数の前記第１の係数の内、演算に用いる前記第１の係数を決定する第１の係数決定手段と、
前記第１の係数決定手段により決定された前記第１の係数を用いて演算を行い、前記第１のコンテンツデータを変換して、前記第２のコンテンツデータを創造する第１のコンテンツデータ創造手段と
を備え、
前記第２の情報処理装置は、
前記第４のコンテンツデータの創造における演算に用いられる第２の係数を創造するのに必要な第２の付加情報を生成する第２の付加情報生成手段と、
前記第２の付加情報生成手段により生成された前記第２の付加情報を前記第３の情報処理装置または前記第４の情報処理装置に供給する第２の付加情報供給手段と、
前記第３の情報処理装置または前記第４の情報処理装置より、前記ID情報とともに供給された前記第２の係数を取得する第２の係数取得手段と、
前記第３の情報処理装置および前記第４の情報処理装置の優先順位を管理する、前記第１の優先順位テーブルと異なる第２の優先順位テーブルを記憶する第２のテーブル記憶手段と、
前記第２の係数取得手段により前記第２の係数とともに取得された前記ID情報、並びに、前記第２のテーブル記憶手段により記憶されている前記第２の優先順位テーブルに基づいて、前記第２の係数取得手段により取得された複数の前記第２の係数の内、演算に用いる前記第２の係数を決定する第２の係数決定手段と、
前記第２の係数決定手段により決定された前記第２の係数を用いて演算を行い、前記第３のコンテンツデータを変換して、前記第４のコンテンツデータを創造する第２のコンテンツデータ創造手段と
を備え、
前記第３の情報処理装置は、
前記第１の情報処理装置より供給された前記第１の付加情報、または前記第２の情報処理装置より供給された前記第２の付加情報を取得する第１の付加情報取得手段と、
前記第１の付加情報取得手段により取得された前記第１の付加情報または第２の付加情報を用いて、前記第１の係数または前記第２の係数を創造する第１の係数創造手段と、
前記第３の情報処理装置を識別する前記ID情報である第１のID情報を記憶する第１のID情報記憶手段と、
前記第１の係数創造手段により創造された前記第１の係数または前記第２の係数を、前記第１のID情報記憶手段により記憶されている前記第１のID情報とともに、前記第１の情報処理装置または前記第２の情報処理装置にそれぞれ供給する第１の係数供給手段と
を備え、
前記第４の情報処理装置は、
前記第１の情報処理装置より供給された前記第１の付加情報、または前記第２の情報処理装置より供給された前記第２の付加情報を取得する第２の付加情報取得手段と、
前記第２の付加情報取得手段により取得された前記第１の付加情報または第２の付加情報を用いて、前記第１の係数または前記第２の係数を創造する第２の係数創造手段と、
前記第４の情報処理装置を識別する前記ID情報である第２のID情報を記憶する第２のID情報記憶手段と、
前記第２の係数創造手段により創造された前記第１の係数または前記第２の係数を、前記第２のID情報記憶手段により記憶されている前記第２のID情報とともに、前記第１の情報処理装置または前記第２の情報処理装置にそれぞれ供給する第２の係数供給手段と
を備えることを特徴とする情報処理システム。
【請求項２７】  第１のコンテンツデータを変換して、第２のコンテンツデータを創造する第１の情報処理装置と、
第３のコンテンツデータを変換して、第４のコンテンツデータを創造する第２の情報処理装置と、
前記第１の情報処理装置または前記第２の情報処理装置と通信を行う第３の情報処理装置と
前記第１の情報処理装置または前記第２の情報処理装置と通信を行う、前記第３の情報処理装置と異なる第４の情報処理装置と
で構成される情報処理システムの情報処理方法であって、
前記第１の情報処理装置は、
前記第２のコンテンツデータの創造における演算に用いられる第１の係数を創造するのに必要な第１の付加情報を生成する第１の付加情報生成ステップと、
前記第１の付加情報生成ステップの処理により生成された前記第１の付加情報を前記第３の情報処理装置または前記第４の情報処理装置に供給する第１の付加情報供給ステップと、
前記第３の情報処理装置または前記第４の情報処理装置より、ID情報とともに供給された前記第１の係数を取得する第１の係数取得ステップと、
前記第３の情報処理装置および前記第４の情報処理装置の優先順位を管理する第１の優先順位テーブルの記憶を制御する第１のテーブル記憶制御ステップと、
前記第１の係数取得ステップの処理により前記係数とともに取得された前記ID情報、並びに、前記第１のテーブル記憶制御ステップの処理により記憶が制御されている前記第１の優先順位テーブルに基づいて、前記第１の係数取得ステップの処理により取得された複数の前記第１の係数の内、演算に用いる前記第１の係数を決定する第１の係数決定ステップと、
前記第１の係数決定ステップの処理により決定された前記第１の係数を用いて演算を行い、前記第１のコンテンツデータを変換して、前記第２のコンテンツデータを創造する第１のコンテンツデータ創造ステップと
を含み、
前記第２の情報処理装置は、
前記第４のコンテンツデータの創造における演算に用いられる第２の係数を創造するのに必要な第２の付加情報を生成する第２の付加情報生成ステップと、
前記第２の付加情報生成ステップの処理により生成された前記第２の付加情報を前記第３の情報処理装置または前記第４の情報処理装置に供給する第２の付加情報供給ステップと、
前記第３の情報処理装置または前記第４の情報処理装置より、前記ID情報とともに供給された前記第２の係数を取得する第２の係数取得ステップと、
前記第３の情報処理装置および前記第４の情報処理装置の優先順位を管理する、前記第１の優先順位テーブルと異なる第２の優先順位テーブルの記憶を制御する第２のテーブル記憶制御ステップと、
前記第２の係数取得ステップの処理により前記第２の係数とともに取得された前記ID情報、並びに、前記第２のテーブル記憶制御ステップの処理により記憶が制御されている前記第２の優先順位テーブルに基づいて、前記第２の係数取得ステップの処理により取得された複数の前記第２の係数の内、演算に用いる前記第２の係数を決定する第２の係数決定ステップと、
前記第２の係数決定ステップの処理により決定された前記第２の係数を用いて演算を行い、前記第３のコンテンツデータを変換して、前記第４のコンテンツデータを創造する第２のコンテンツデータ創造ステップと
を含み、
前記第３の情報処理装置は、
前記第１の情報処理装置より供給された前記第１の付加情報、または前記第２の情報処理装置より供給された前記第２の付加情報を取得する第１の付加情報取得ステップと、
前記第１の付加情報取得ステップの処理により取得された前記第１の付加情報または第２の付加情報を用いて、前記第１の係数または前記第２の係数を創造する第１の係数創造ステップと、
前記第３の情報処理装置を識別する前記ID情報である第１のID情報の記憶を制御する第１のID情報記憶制御ステップと、
前記第１の係数創造ステップの処理により創造された前記第１の係数または前記第２の係数を、前記第１のID情報記憶制御ステップの処理により記憶が制御されている前記第１のID情報とともに、前記第１の情報処理装置または前記第２の情報処理装置にそれぞれ供給する第１の係数供給ステップと
を含み、
前記第４の情報処理装置は、
前記第１の情報処理装置より供給された前記第１の付加情報、または前記第２の情報処理装置より供給された前記第２の付加情報を取得する第２の付加情報取得ステップと、
前記第２の付加情報取得ステップの処理により取得された前記第１の付加情報または第２の付加情報を用いて、前記第１の係数または前記第２の係数を創造する第２の係数創造ステップと、
前記第４の情報処理装置を識別する前記ID情報である第２のID情報の記憶を制御する第２のID情報記憶制御ステップと、
前記第２の係数創造ステップの処理により創造された前記第１の係数または前記第２の係数を、前記第２のID情報記憶制御ステップの処理により記憶が制御されている前記第２のID情報とともに、前記第１の情報処理装置または前記第２の情報処理装置にそれぞれ供給する第２の係数供給ステップと
を含むことを特徴とする情報処理方法。
【請求項２８】  第１のコンテンツデータを変換して、第２のコンテンツデータを創造する第１の情報処理装置と、
前記第１の情報処理装置と通信を行う第２の情報処理装置と
で構成される情報処理システムにおいて、
前記第１の情報処理装置は、
前記第２の情報処理装置より制御情報を取得する制御情報取得手段と、
前記制御情報取得手段により取得された前記制御情報に基づいて、前記第２のコンテンツデータの創造における演算に用いられる係数を創造するのに必要な付加情報を生成する付加情報生成手段と、
前記付加情報生成手段により生成された前記付加情報を用いて、前記係数を創造する係数創造手段と、
前記係数創造手段により創造された前記係数を用いて演算を行い、前記第１のコンテンツデータを変換して、前記第２のコンテンツデータを創造するコンテンツデータ創造手段と
を備え、
前記第２の情報処理装置は、
ユーザの入力を受け付ける入力受け付け手段と、
前記入力受け付け手段により受け付けられた前記ユーザの入力に基づいて、前記第１の情報処理装置に前記付加情報の生成を開始させる制御情報を供給する制御情報供給手段と
を備えることを特徴とする情報処理システム。
【請求項２９】  第１のコンテンツデータを変換して、第２のコンテンツデータを創造する第１の情報処理装置と、
前記第１の情報処理装置と通信を行う第２の情報処理装置と
で構成される情報処理システムの情報処理方法であって、
前記第１の情報処理装置は、
前記第２の情報処理装置より制御情報を取得する制御情報取得ステップと、
前記制御情報取得ステップの処理により取得された前記制御情報に基づいて、前記第２のコンテンツデータの創造における演算に用いられる係数を創造するのに必要な付加情報を生成する付加情報生成ステップと、
前記付加情報生成ステップの処理により生成された前記付加情報を用いて、前記係数を創造する係数創造ステップと、
前記係数創造手段により創造された前記係数を用いて演算を行い、前記第１のコンテンツデータを変換して、前記第２のコンテンツデータを創造するコンテンツデータ創造ステップと
を含み、
前記第２の情報処理装置は、
ユーザの入力を受け付ける入力受け付けステップと、
前記入力受け付けステップの処理により受け付けられた前記ユーザの入力に基づいて、前記第１の情報処理装置に前記付加情報の生成を開始させる制御情報を供給する制御情報供給ステップと
を含むことを特徴とする情報処理方法。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】